【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
無線通信の方法であって、
各遠隔ラジオ・ヘッド（ＲＲＨ）の位置決め基準信号（ＰＲＳ）送信時間を、複数のＲＲＨのうちの他のＲＲＨのＰＲＳ送信時間およびマクロｅノードＢのＰＲＳ送信時間とは異なる時間になるようにスケジュールすることによって、前記マクロｅノードＢがＰＲＳを送信するサブフレームにおけるＰＲＳ送信を阻止するために、おのおのが前記マクロｅノードＢと同じ物理セル識別情報（ＰＣＩ）を有する前記複数のＲＲＨを設定することと、各ＲＲＨおよびマクロｅノードＢは、送信の元を示さない同じＰＲＳを送信し、
前記設定にしたがって通信することと、
を備える方法。
【請求項２】
無線通信の方法であって、
遠隔ラジオ・ヘッド（ＲＲＨ）およびマクロｅノードＢから位置決めサーバにおいて、ユーザ機器（ＵＥ）からのアップリンク送信から決定された基準信号時間差（ＲＳＴＤ）測定値を受信することと、
前記位置決めサーバにおいて、前記マクロｅノードＢからの第１の位置決め基準信号（ＰＲＳ）および前記マクロｅノードＢと同じ物理セル識別情報（ＰＣＩ）を有する前記ＲＲＨからの第２のＰＲＳのＲＳＴＤ測定値に少なくとも一部基づく、前記ＵＥからの測定値と、前記受信されたＲＳＴＤ測定値を結合することと、ここで、前記ＲＲＨは、前記ＲＲＨのＰＲＳ送信時間を、前記マクロｅノードＢのＰＲＳ送信時間とは異なる時間になるようにスケジュールすることによって、前記マクロｅノードＢがＰＲＳを送信するサブフレームにおけるＰＲＳ送信を阻止するように構成され、ここで、各ＲＲＨおよびマクロｅノードＢは、送信の元を示さない同じＰＲＳを送信し、
前記位置決めサーバにおいて、前記ＲＲＨからの前記受信されたＲＳＴＤ測定値、前記受信されたＲＳＴＤ測定値、および、前記ＵＥからの前記測定値の結合に基づいて、前記ＵＥの位置を決定することと、
を備える方法。
【請求項３】
無線通信のための装置であって、
メモリと、
前記メモリに接続された少なくとも１つのプロセッサとを備え、
前記少なくとも１つのプロセッサは、
各遠隔ラジオ・ヘッド（ＲＲＨ）の位置決め基準信号（ＰＲＳ）送信時間を、複数のＲＲＨのうちの他のＲＲＨのＰＲＳ送信時間およびマクロｅノードＢのＰＲＳ送信時間とは異なる時間になるようにスケジュールすることによって、前記マクロｅノードＢがＰＲＳを送信するサブフレームにおけるＰＲＳ送信を阻止するために、おのおのがマクロｅノードＢと同じ物理セル識別情報（ＰＣＩ）を有する前記複数のＲＲＨを設定し、ここで、各ＲＲＨおよびマクロｅノードＢは、送信の元を示さない同じＰＲＳを送信し、
前記設定にしたがって通信するように構成された、装置。
【請求項４】
無線通信のための装置であって、
メモリと、
前記メモリに接続された少なくとも１つのプロセッサとを備え、
前記少なくとも１つのプロセッサは、
遠隔ラジオ・ヘッド（ＲＲＨ）およびマクロｅノードＢから位置決めサーバにおいて、ユーザ機器（ＵＥ）からのアップリンク送信から決定された基準信号時間差（ＲＳＴＤ）測定値を受信し、
前記位置決めサーバにおいて、前記マクロｅノードＢからの第１の位置決め基準信号（ＰＲＳ）および前記マクロｅノードＢと同じ物理セル識別情報（ＰＣＩ）を有する前記ＲＲＨからの第２のＰＲＳのＲＳＴＤ測定値に少なくとも一部基づく、前記ＵＥからの測定値と、前記受信されたＲＳＴＤ測定値を結合し、ここで、前記ＲＲＨは、前記ＲＲＨのＰＲＳ送信時間を、前記マクロｅノードＢのＰＲＳ送信時間とは異なる時間になるようにスケジュールすることによって、前記マクロｅノードＢがＰＲＳを送信するサブフレームにおけるＰＲＳ送信を阻止するように構成され、各ＲＲＨおよびマクロｅノードＢは、送信の元を示さない同じＰＲＳを送信し、
前記位置決めサーバにおいて、前記ＲＲＨからの前記受信されたＲＳＴＤ測定値、前記受信されたＲＳＴＤ測定値、および、前記ＵＥからの前記測定値の結合に基づいて、前記ＵＥの位置を決定するように構成された、装置。
【請求項５】
無線ネットワークにおける無線通信のためのコンピュータ・プログラムを記憶した非一時的なコンピュータ読取可能な記憶媒体であって、
前記コンピュータ・プログラムは、
各遠隔ラジオ・ヘッド（ＲＲＨ）の位置決め基準信号（ＰＲＳ）送信時間を、複数のＲＲＨのうちの他のＲＲＨのＰＲＳ送信時間およびマクロｅノードＢのＰＲＳ送信時間とは異なる時間になるようにスケジュールすることによって、前記マクロｅノードＢがＰＲＳを送信するサブフレームにおけるＰＲＳ送信を阻止するために、おのおのが前記マクロｅノードＢと同じ物理セル識別情報（ＰＣＩ）を有する前記複数のＲＲＨを設定するためのプログラム・コードと、ここで、各ＲＲＨおよびマクロｅノードＢは、送信の元を示さない同じＰＲＳを送信し、
前記設定にしたがって通信するためのプログラム・コードと
を備える、コンピュータ読取可能な記憶媒体。
【請求項６】
無線ネットワークにおける無線通信のためのコンピュータ・プログラムを記憶した非一時的なコンピュータ読取可能な記憶媒体であって、
前記コンピュータ・プログラムは、
遠隔ラジオ・ヘッド（ＲＲＨ）およびマクロｅノードＢから位置決めサーバにおいて、ユーザ機器（ＵＥ）からのアップリンク送信から決定された基準信号時間差（ＲＳＴＤ）測定値を受信するためのプログラム・コードと、
前記位置決めサーバにおいて、前記マクロｅノードＢからの第１の位置決め基準信号（ＰＲＳ）および前記マクロｅノードＢと同じ物理セル識別情報（ＰＣＩ）を有する前記ＲＲＨからの第２のＰＲＳのＲＳＴＤ測定値に少なくとも一部基づく、前記ＵＥからの測定値と、前記受信されたＲＳＴＤ測定値を結合するためのプログラム・コードと、ここで、前記ＲＲＨは、前記ＲＲＨのＰＲＳ送信時間を、前記マクロｅノードＢのＰＲＳ送信時間とは異なる時間になるようにスケジュールすることによって、前記マクロｅノードＢがＰＲＳを送信するサブフレームにおけるＰＲＳ送信を阻止するように構成され、ここで、各ＲＲＨおよびマクロｅノードＢは、送信の元を示さない同じＰＲＳを送信し、
前記位置決めサーバにおいて、前記ＲＲＨからの前記受信されたＲＳＴＤ測定値、前記受信されたＲＳＴＤ測定値、および、前記ＵＥからの前記測定値の結合に基づいて、前記ＵＥの位置を決定するためのプログラム・コードと
を備える、コンピュータ読取可能な記憶媒体。
【請求項７】
無線通信のための装置であって、
各遠隔ラジオ・ヘッド（ＲＲＨ）の位置決め基準信号（ＰＲＳ）送信時間を、複数のＲＲＨのうちの他のＲＲＨのＰＲＳ送信時間およびマクロｅノードＢのＰＲＳ送信時間とは異なる時間になるようにスケジュールすることによって、前記マクロｅノードＢがＰＲＳを送信するサブフレームにおけるＰＲＳ送信を阻止するために、おのおのがマクロｅノードＢと同じ物理セル識別情報（ＰＣＩ）を有する前記複数のＲＲＨを設定する手段と、ここで、各ＲＲＨおよびマクロｅノードＢは、送信の元を示さない同じＰＲＳを送信し、
前記設定にしたがって通信する手段と、を備える装置。
【請求項８】
無線通信のための装置であって、
遠隔ラジオ・ヘッド（ＲＲＨ）およびマクロｅノードＢから位置決めサーバにおいて、ユーザ機器（ＵＥ）からのアップリンク送信から決定された基準信号時間差（ＲＳＴＤ）測定値を受信する手段と、
前記位置決めサーバにおいて、前記マクロｅノードＢからの第１の位置決め基準信号（ＰＲＳ）および前記マクロｅノードＢと同じ物理セル識別情報（ＰＣＩ）を有する前記ＲＲＨからの第２のＰＲＳのＲＳＴＤ測定値に少なくとも一部基づく、前記ＵＥからの測定値と、前記受信されたＲＳＴＤ測定値を結合する手段と、ここで、前記ＲＲＨは、前記ＲＲＨのＰＲＳ送信時間を、前記マクロｅノードＢのＰＲＳ送信時間とは異なる時間になるようにスケジュールすることによって、前記マクロｅノードＢがＰＲＳを送信するサブフレームにおけるＰＲＳ送信を阻止するように構成され、ここで、各ＲＲＨおよびマクロｅノードＢは、送信の元を示さない同じＰＲＳを送信し、
前記位置決めサーバにおいて、前記ＲＲＨからの前記受信されたＲＳＴＤ測定値、前記受信されたＲＳＴＤ測定値、および、前記ＵＥからの前記測定値の結合に基づいて、前記ＵＥの位置を決定する手段と、
を備える装置。